【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
絶縁されている部分、及び境界域において前記絶縁されている部分に隣接した、前記ワイヤの絶縁されていない部分を有している導電ワイヤと、
前記境界域に最も近い前記導電ワイヤを覆って配置されている内側シールと、
前記導電ワイヤの前記絶縁されている部分と前記絶縁されていない部分、及び前記境界域における前記内側シールを覆っている金属スリーブと、
を備えた電気的取付部材において、
前記金属スリーブは、前記金属スリーブと前記ワイヤの絶縁されている部分との間の前記内側シールを把持するように、前記境界域の最も近くに形成された前記スリーブの平坦部分を含み、よって前記境界域をシールすることを特徴とする、電気的取付部材。
【請求項２】
前記内側シールは管状であることを特徴とする請求項１に記載の電気的取付部材。
【請求項３】
前記平坦部分は前記ワイヤの前記絶縁されていない部分に係合し、前記金属スリーブを前記ワイヤに電気的に連結させることを特徴とする請求項１に記載の電気的取付部材。
【請求項４】
前記電気的取付部材を表面に取り付けるために、前記スリーブに電気的に連結されるラグ部分をさらに含んでいることを特徴とする請求項２に記載の電気的取付部材。
【請求項５】
前記平坦部分は、前記絶縁されている部分と前記絶縁されていない部分との間の前記境界域にまたがることを特徴とする請求項１に記載の電気的取付部材。
【請求項６】
前記内側シールは、熱可塑性材料、エラストマー、又はエポキシ材料のうちの１つの材料を含む、少なくとも１つの層を含んでいることを特徴とする請求項１に記載の電気的取付部材。
【請求項７】
前記層は、前記内側シールが前記スリーブの平坦部分によって把持されている場合に、前記導電ワイヤと係合することを特徴とする請求項６に記載の電気的取付部材。
【請求項８】
前記内側シールは、ポリオレフィン、フルオロカーボン、エラストマー、又は架橋材料のうちの１つの材料を含む少なくとも１つの層を含んでいることを特徴とする請求項１に記載の電気的取付部材。
【請求項９】
ポリオレフィンを含んでいる前記層は、前記内側シールが前記スリーブの平坦部分によって把持されている場合に、前記スリーブと係合することを特徴とする請求項８に記載の電気的取付部材。
【請求項１０】
前記内側シールは、前記金属スリーブに面する外側層、及び該外側層と異なる材料から作られ、前記導電ワイヤに面する内側層を有していることを特徴とする請求項１に記載の電気的取付部材。
【請求項１１】
前記外側層はポリオレフィンを含み、前記内側層は熱可塑性物質を含むことを特徴とする請求項１０に記載の電気的取付部材。
【請求項１２】
前記金属スリーブの一部分及び前記絶縁されている導電ワイヤの一部分を覆って形成されている外側シールをさらに備えていることを特徴とする請求項１に記載の電気的取付部材。
【請求項１３】
前記内側シール及び前記外側シールの少なくとも１つは、熱収縮材料から作られていることを特徴とする請求項１２に記載の電気的取付部材。
【請求項１４】
導電ワイヤの絶縁されている部分、及び該絶縁されている部分と一体に形成されている前記導電ワイヤの絶縁されていない部分と、
前記導電ワイヤの前記絶縁されている部分及び前記絶縁されていない部分と、内側シールとを覆っているスリーブと、
を備えている一体式結合取付部材において、
前記スリーブは、前記絶縁されていない部分の少なくとも一部分を包んでいる平坦部分、及び前記導電ワイヤの前記絶縁されている部分と係合するように、前記平坦部分の端部に配置されている少なくとも１つの略管状部分を含み、
孔部が、前記平坦部分と該平坦部分によって包まれている前記絶縁されていない部分とを貫いて形成されていることを特徴とする一体式結合取付部材。
【請求項１５】
前記導電ワイヤと係合する前記略管状部分を覆っている外側シールをさらに備えていることを特徴とする請求項１４に記載の一体式結合取付部材。
【請求項１６】
前記導電ワイヤの前記絶縁されていない長さが、前記導電ワイヤの端部に配置されていることを特徴とする請求項１４に記載の一体式結合取付部材。
【請求項１７】
前記導電ワイヤの前記絶縁されていない長さは、前記ワイヤを端部の間に取り付けるために、前記導電ワイヤの前記長さに沿って内部に設置されていることを特徴とする請求項１４に記載の一体式結合取付部材。
【請求項１８】
前記平坦部分の対向する両端部に配置されている略管状部分をさらに備えていることを特徴とする請求項１４に記載の一体式結合取付部材。
【請求項１９】
絶縁されている部分、及び一体化された絶縁されていない部分を有する導電ワイヤを設けるステップと、
前記絶縁されている部分と前記絶縁されていない部分との間の境界域に最も近い前記導電ワイヤを覆って内側シールを配置するステップと、
前記導電ワイヤの前記絶縁されている部分及び前記絶縁されていない部分と前記内側シールとを覆うように金属スリーブを配置するステップと、
前記境界域に最も近い平坦部分を形成するようにスリーブを圧縮し、前記金属スリーブと前記ワイヤの前記絶縁されている部分との間の前記内側シールを把持し、前記境界域をシールするステップと、
を具備していることを特徴とする電気的取付部材を形成する方法。
【請求項２０】
前記平坦部分は、前記ワイヤの前記絶縁されていない部分と係合するように形成され、前記金属スリーブを前記ワイヤに電気的に連結することを特徴とする請求項１９に記載の方法。
【請求項２１】
前記平坦部分は、前記絶縁されている部分と前記絶縁されていない部分との間の前記境界域にまたがるように形成されていることを特徴とする請求項１９に記載の方法。
【請求項２２】
前記内側シールは、熱可塑性材料、エラストマー、又はエポキシ材料のうちの１つの材料を含む、少なくとも１つの層を含んでいることを特徴とする請求項１９に記載の方法。
【請求項２３】
前記内側シールは、ポリオレフィン、フルオロカーボン、エラストマー、又は架橋材料のうちの１つの材料を含む少なくとも１つの層を含んでいることを特徴とする請求項１９に記載の方法。
【請求項２４】
前記内側シールは、前記金属スリーブに面する外側層、及び該外側層と異なる材料から作られ、前記導電ワイヤに面する内側層を有していることを特徴とする請求項１９に記載の方法。
【請求項２５】
前記金属スリーブの一部分及び前記絶縁されている導電ワイヤの一部分を覆って形成されている外側シールを配置するステップをさらに具備していることを特徴とする請求項１９に記載の方法。
【請求項２６】
前記内側シール及び前記外側シールの少なくとも１つは、熱収縮材料から作られていることを特徴とする請求項２５に記載の方法。
【請求項２７】
前記導電ワイヤを覆って配置された内側シールをさらに備え、前記平坦部分は、前記スリーブと前記導電ワイヤとの間の内側シールを把持して、前記ワイヤで一体式結合取付部材をシールしていることを特徴とする請求項１４に記載の一体式結合取付部材。
【請求項２８】
絶縁されている部分と絶縁されていない部分とを有する導電ワイヤを提供するステップと、
前記導電ワイヤの前記絶縁されている部分と前記絶縁されていない部分とを覆うようにスリーブを配置するステップと、
前記絶縁されていないワイヤ部分の少なくとも一部を包むとともに該平坦部分の一端に配置された１つの略筒状部分を維持するように平坦部分を形成して、前記導電ワイヤの前記絶縁された部分に係合するように、前記スリーブを圧縮するステップと、
前記平坦部分と該平坦部分によって包まれた前記絶縁されていないワイヤ部分とを貫いて孔部を形成するステップと、
を備える一体式結合取付部材を形成する方法。
【請求項２９】
前記導電ワイヤを覆うように内側シールを配置するステップをさらに備え、前記平端部は前記スリーブと前記導電ワイヤとの間において前記内側シールを把持して、前記一体式結合取付部材を前記ワイヤでシールすることを特徴とする請求項２８に記載の方法。
【請求項３０】
前記導電ワイヤの絶縁されていない長さ部分は、前記導電ワイヤの一方の端部に位置し、ていることを特徴とする請求項２８に記載の方法。
【請求項３１】
前記導電ワイヤの絶縁されていない長さ部分は、前記ワイヤを端部間において取り付けるために前記導電ワイヤに沿って内側に配置されていることを特徴とする請求項２８に記載の方法。
【請求項３２】
前記平坦部の対向する端部において略筒状部分を維持するステップをさらに備えることを特徴とする請求項２８に記載の方法。